(57)【要約】【課題】プリンタのページ切り替え時に画像間隔が存在する場合に、画像間隔に合わせて原稿データをユーザが準備せずに、一定周期の画像を出力する。【解決手段】画像データを記憶するページメモリと、ページメモリから読み出される画像データに基づいて長尺用紙に対して画像を形成する画像形成部と、ページメモリに画像データを記憶させると共に画像データを読み出して画像形成部に供給する画像処理部と、を備え、画像処理部は、所定のサイズの画像データをページ単位で扱って、ページ単位内で搬送方向に複数の画像を繰り返す場合に、当該繰り返しの間に存在するページ内画像間隔と、ページ単位の切り替わりにおける先行ページの後尾画像と後続ページの先頭画像との間のページ準備処理で発生するページ間画像間隔とが等しくなるように、後尾画像後の余白又は先頭画像前の余白の少なくとも一方を調整する。【選択図】図１
2018015911.tif 000002
【特許請求の範囲】
【請求項１】
定型サイズの用紙よりも搬送方向の用紙長が長い長尺用紙に対して画像データに基づいて画像形成する画像形成装置であって、
前記画像データを記憶するページメモリと、
前記ページメモリから読み出される画像データに基づいて前記長尺用紙に対して画像形成を実行する画像形成部と、
前記ページメモリに前記画像データを記憶させると共に前記画像データを読み出して前記画像形成部に供給する画像処理部と、
を備えて構成されており、
前記画像処理部は、
所定のサイズの前記画像データをページ単位で扱って、前記ページ単位内で前記搬送方向に複数の画像を繰り返す場合に、当該繰り返しの間に存在するページ内画像間隔と、前記ページ単位の切り替わりにおける先行ページの後尾画像と後続ページの先頭画像との間のページ準備処理で発生するページ間画像間隔とが等しくなるように、前記後尾画像後の余白又は前記先頭画像前の余白の少なくとも一方を調整する、
ことを特徴とする画像形成装置。
【請求項２】
前記画像処理部は、
前記ページ単位内において前記搬送方向に複数の画像である場合には前記調整を行い、
前記ページ単位内において前記搬送方向に単数の画像である場合には前記調整を行わない、
ことを特徴とする請求項１に記載の画像形成装置。
【請求項３】
画像処理部は、前記ページメモリに記憶させる前記画像データに画像回転処理を施す場合には、前記画像形成部に供給する際の前記画像データについて前記調整を実行する、
ことを特徴とする請求項１乃至請求項２のいずれか一項に記載の画像形成装置。
【請求項４】
前記画像処理部は、前記調整により前記余白を減じた量を加味して、前記長尺用紙に対して画像形成を行った作像距離を管理する、
ことを特徴とする請求項１乃至請求項３のいずれか一項に記載の画像形成装置。
【請求項５】
前記画像処理部は、前記画像に欠損を生じさせずに前記調整が可能であるかを前記ページ単位で確認し、確認された結果に応じて前記調整の実行の有無を切り替える、
ことを特徴とする請求項１乃至請求項４のいずれか一項に記載の画像形成装置。
【請求項６】
前記画像処理部は、前記画像に欠損を生じさせずに前記調整が可能であるかを前記ページ単位で確認し、
前記画像形成部は、前記画像に欠損を生じさせずに前記調整が可能でないと確認されたページが存在する場合には、画像形成を実行しない、
ことを特徴とする請求項１乃至請求項５のいずれか一項に記載の画像形成装置。
【請求項７】
前記画像処理部は、画像形成の開始の指示に応じて前記確認と前記切り替えを行う、
ことを特徴とする請求項５乃至請求項６のいずれか一項に記載の画像形成装置。
【請求項８】
前記画像処理部は、前記ページ単位の前記画像データが前記ページメモリに入力された後に前記調整を行う、
ことを特徴とする請求項１乃至請求項７のいずれか一項に記載の画像形成装置。
【請求項９】
前記搬送方向を副走査方向、副走査方向に直交する方向を主走査方向とした場合、
前記画像処理部は、前記ページ単位の前記画像データの主走査方向と副走査方向とのそれぞれに前記調整を行った後に、調整された前記ページ単位の前記画像データを前記ページメモリに入力する、
ことを特徴とする請求項１乃至請求項７のいずれか一項に記載の画像形成装置。
【請求項１０】
前記画像処理部は、先頭ページの先端と最終ページの後端の少なくとも一方については前記調整を行わない、
ことを特徴とする請求項１乃至請求項９のいずれか一項に記載の画像形成装置。
【請求項１１】
定型サイズの用紙よりも搬送方向の用紙長が長い長尺用紙を給紙する給紙装置と、
前記給紙装置により給紙される前記長尺用紙に対して画像データに基づいて画像形成する請求項１乃至請求項１０のいずれか一項に記載の画像形成装置と、
前記画像形成装置により画像形成された前記長尺用紙を排紙する排紙装置と、
を有する画像形成システム。
【請求項１２】
定型サイズの用紙よりも搬送方向の用紙長が長い長尺用紙に対して画像データに基づいて画像形成する画像形成装置を制御する画像形成制御プログラムであって、
前記画像データを記憶するページメモリ、
前記ページメモリから読み出される画像データに基づいて前記長尺用紙に対して画像形成を実行する画像形成部、
所定のサイズの前記画像データをページ単位で扱って、前記ページ単位内で前記搬送方向に複数の画像を繰り返す場合に、当該繰り返しの間に存在するページ内画像間隔と、前記ページ単位の切り替わりにおける先行ページの後尾画像と後続ページの先頭画像との間のページ準備処理で発生するページ間画像間隔とが等しくなるように、前記後尾画像後の余白又は前記先頭画像前の余白の少なくとも一方を調整し、前記ページメモリに前記画像データを記憶させると共に前記画像データを読み出して前記画像形成部に供給する画像処理部、
として前記画像形成装置のコンピュータを機能させることを特徴とする画像形成制御プログラム。
【発明の詳細な説明】
【技術分野】
【０００１】
本発明は、画像形成装置及び画像形成システム並びに画像形成制御プログラムに関し、特に、長尺用紙を用いた画像形成を効率良く実行する際の技術に関する。
【背景技術】
【０００２】
画像データに基づいて画像形成するプリンタ等の画像形成装置では、Ａ４やＢ４といった所定の定型サイズにカットされたカット紙と呼ばれる用紙に対して画像を形成することが一般的である。
この種の画像形成装置において、連続紙又はロール紙と呼ばれる、定型サイズの用紙よりも搬送方向の用紙長が長い長尺用紙に画像を形成することも可能である。なお、このような長尺用紙は、宛名やシリアル番号や商品表示などのシール形式のラベルを繰り返し印刷するといった用途で使用されることが多い。
【０００３】
また、この種の画像形成装置において、入力画像のサイズに下限がある製品が存在しており、印刷したい画像が最小サイズに満たない場合には、面付けソフトや画像エディタなどを用いて画像（図７（ａ）参照）を１ページ内にリピートするページデータ又は原稿データ（以下、原稿データと呼ぶ。図７（ｂ）参照）を作成することで、下限サイズ以上の画像サイズにすることがある。
【０００４】
一方、Ａ４サイズなどの定型サイズのカット紙を前提とする画像形成装置をベースにして開発された長尺用紙用画像形成装置の多くは、ページ単位の切り替わりにおいてページ間画像間隔と呼ばれる画像形成が一時的に停止する画像間隔が存在する。
これは、カット紙を前提とするＡＳＩＣ等の画像処理ハードウェアが想定する転写紙長が、長尺用紙の長さに満たないことに起因する。
【０００５】
例えば、画素密度１２００dpi単位でデータ幅２０bitのＡＳＩＣでは、転写紙長指定が２２．２メートルまでしか連続で画像形成を行えない。このため、数百メートルから１０００メートル超の長さになる長尺用紙では、２２．２メートル以内を区切りとしてページ切り替えを行う必要がある。ここで、ページ切り替えではＡＳＩＣに次ページ設定を行うソフト処理が必要であり、ソフト処理期間は画像形成が停止することになる。そして、この画像形成停止期間中も長尺用紙の搬送は続くため、停止期間が空白として出力物上に現れることになる。
【０００６】
図７（ｃ）は停止期間による空白が生じない理想的な状態で長尺用紙ＰＬに印刷された様子を示し、図７（ｄ）は停止期間による空白（図７（ｄ）中のβ）が生じた状態で長尺用紙ＰＬに印刷された様子を示している。
そして、印刷された長尺用紙について、ダイカッターなどの後処理機を用いて断裁することになる。このダイカッターは、断裁などの後処理を行う画像が出力物上で周期が一定であることを前提にしている場合がある。
【０００７】
図７（ｃ）は上述したページ単位の切り替えにおける画像間隔が存在しないため、長尺用紙において各画像は２α間隔の一定周期になっている。一方、図７（ｄ）は上述したページ単位の切り替えにおける画像間隔が存在するため、長尺用紙ＰＬにおいて各画像はページ内では２α間隔、ページ切り替わりでは２α＋βとなり、一定周期になっていない。
【０００８】
この場合、面付けソフトや画像エディタなどを用いて画像をリピートさせた原稿データを作成する際に、ページの先端と後端とについて、画像形成装置の画像間隔を考慮して、ユーザが手動でトリミングすることで対処が可能である。しかしながら、ユーザは使用するプリンタの画像間隔に合わせて、原稿データを作らなければならず、特に画像間隔が異なるプリンタを複数所有している場合は煩雑になる問題が発生する。
【０００９】
なお、長尺用紙を用いた画像形成装置における画像間の制御については、以下の特許文献などに各種の提案がなされている。
【先行技術文献】
【特許文献】
【００１０】
【特許文献１】特開2009-259016号公報
【発明の概要】
【発明が解決しようとする課題】
【００１１】
以上の特許文献１では、原稿データ上端と下端の空白領域全てを一律にトリミングすることを特徴とする。ここで、確認プリントの際は、ページ間のレイアウト調整用に入れられている空白領域を出力しないことで、用紙を節約する。
但し、この技術は、用紙の節約（無駄排除）を目的とする内容であって、ページ切り替え時のソフトウエア処理で発生する画像間隔に対処するという内容ではない。
【００１２】
すなわち、プリンタのページ切り替え時に画像間隔が存在する場合にも、ページ切り替え時に発生する画像間隔に合わせて原稿データをユーザが準備することなく、長尺用紙に一定周期の画像を出力することが可能な画像形成装置及び画像形成システム並びに画像形成制御プログラムを提供することを目的とする。
【課題を解決するための手段】
【００１３】
すなわち、前記した課題を解決するため、本発明の一側面が反映された画像形成装置及び画像形成システム並びに画像形成制御プログラムは、以下のように構成される。
（１）定型サイズの用紙よりも搬送方向の用紙長が長い長尺用紙に対して画像データに基づいて画像形成する画像形成装置であって、前記画像データを記憶するページメモリと、前記ページメモリから読み出される画像データに基づいて前記長尺用紙に対して画像形成を実行する画像形成部と、前記ページメモリに前記画像データを記憶させると共に前記画像データを読み出して前記画像形成部に供給する画像処理部と、を備えて構成されており、前記画像処理部は、所定のサイズの前記画像データをページ単位で扱って、前記ページ単位内で前記搬送方向に複数の画像を繰り返す場合に、当該繰り返しの間に存在するページ内画像間隔と、前記ページ単位の切り替わりにおける先行ページの後尾画像と後続ページの先頭画像との間のページ準備処理で発生するページ間画像間隔とが等しくなるように、前記後尾画像後の余白又は前記先頭画像前の余白の少なくとも一方を調整する、ことを特徴とする。
【００１４】
また、画像形成システムであって、定型サイズの用紙よりも搬送方向の用紙長が長い長尺用紙を給紙する給紙装置と、前記給紙装置により給紙される前記長尺用紙に対して画像データに基づいて画像形成する以上の画像形成装置と、前記画像形成装置により画像形成された前記長尺用紙を排紙する排紙装置と、を有することを特徴とする。
【００１５】
また、定型サイズの用紙よりも搬送方向の用紙長が長い長尺用紙に対して画像データに基づいて画像形成する画像形成装置を制御する画像形成制御プログラムであって、前記画像データを記憶するページメモリ、前記ページメモリから読み出される画像データに基づいて前記長尺用紙に対して画像形成を実行する画像形成部、所定のサイズの前記画像データをページ単位で扱って、前記ページ単位内で前記搬送方向に複数の画像を繰り返す場合に、当該繰り返しの間に存在するページ内画像間隔と、前記ページ単位の切り替わりにおける先行ページの後尾画像と後続ページの先頭画像との間のページ準備処理で発生するページ間画像間隔とが等しくなるように、前記後尾画像後の余白又は前記先頭画像前の余白の少なくとも一方を調整し、前記ページメモリに前記画像データを記憶させると共に前記画像データを読み出して前記画像形成部に供給する画像処理部、として前記画像形成装置のコンピュータを機能させることを特徴とする。
【００１６】
（２）以上の（１）において、前記画像処理部は、前記ページ単位内において前記搬送方向に複数の画像である場合には前記調整を行い、前記ページ単位内において前記搬送方向に単数の画像である場合には前記調整を行わない、ことを特徴とする。
（３）以上の（１）〜（２）において、画像処理部は、前記ページメモリに記憶させる前記画像データに画像回転処理を施す場合には、前記画像形成部に供給する際の前記画像データについて前記調整を実行する、ことを特徴とする。
【００１７】
（４）以上の（１）〜（３）において、前記画像処理部は、前記調整により前記余白を減じた量を加味して、前記長尺用紙に対して画像形成を行った作像距離を管理する、ことを特徴とする。
（５）以上の（１）〜（４）において、前記画像処理部は、前記画像に欠損を生じさせずに前記調整が可能であるかを前記ページ単位で確認し、確認された結果に応じて前記調整の実行の有無を切り替える、ことを特徴とする。
【００１８】
（６）以上の（１）〜（５）において、前記画像処理部は、前記画像に欠損を生じさせずに前記調整が可能であるかを前記ページ単位で確認し、前記画像形成部は、前記画像に欠損を生じさせずに前記調整が可能でないと確認されたページが存在する場合には、画像形成を実行しない、ことを特徴とする。
【００１９】
（７）以上の（５）〜（６）において、前記画像処理部は、画像形成の開始の指示に応じて前記確認と前記切り替えを行う、ことを特徴とする。
（８）以上の（１）〜（７）において、前記画像処理部は、前記ページ単位の前記画像データが前記ページメモリに入力された後に前記調整を行う、ことを特徴とする。
【００２０】
（９）以上の（１）〜（７）において、前記搬送方向を副走査方向、副走査方向に直交する方向を主走査方向とした場合、前記画像処理部は、前記ページ単位の前記画像データの主走査方向と副走査方向とのそれぞれに前記調整を行った後に、調整された前記ページ単位の前記画像データを前記ページメモリに入力する、ことを特徴とする。
【００２１】
（１０）以上の（１）〜（９）において、前記画像処理部は、先頭ページの先端と最終ページの後端の少なくとも一方については前記調整を行わない、ことを特徴とする。
【発明の効果】
【００２２】
本発明の一側面が反映された画像形成装置及び画像形成システム並びに画像形成制御プログラムによると、以下のような効果が得られる。
（１）定型サイズの用紙よりも搬送方向の用紙長が長い長尺用紙に対して画像データに基づいて画像形成する際に、ページ単位内で搬送方向に複数の画像を繰り返す場合に、当該繰り返しの間に存在するページ内画像間隔と、ページ単位の切り替わりにおける先行ページの後尾画像と後続ページの先頭画像との間のページ準備処理で発生するページ間画像間隔とが等しくなるように、後尾画像後の余白又は先頭画像前の余白の少なくとも一方を調整する。
【００２３】
すなわち、プリンタのページ切り替え時に画像間隔が存在する場合にも、ページ切り替え時に発生する画像間隔に合わせて原稿データをユーザが準備することなく、長尺用紙に一定周期の画像を出力することが可能になる。
（２）以上の（１）において、ページ単位内において搬送方向に複数の画像である場合には調整を行い、ページ単位内において搬送方向に単数の画像である場合には調整を行わないことで、プリンタのページ切り替え時に画像間隔が存在する場合にも、ページ切り替え時に発生する画像間隔に合わせて原稿データをユーザが準備することなく、長尺用紙に一定周期の画像を適切に出力することが可能になる。
【００２４】
（３）以上の（１）〜（２）において、ページメモリに記憶させる画像データに画像回転処理を施す場合には、画像形成部に供給する際の画像データについて調整を実行することにより、プリンタのページ切り替え時に画像間隔が存在する場合にも、ページ切り替え時に発生する画像間隔に合わせて原稿データをユーザが準備することなく、長尺用紙に一定周期の画像を適切に出力することが可能になる。
【００２５】
（４）以上の（１）〜（３）において、調整により余白を減じた量を加味して、長尺用紙に対して画像形成を行った作像距離を管理することにより、長尺用紙に一定周期の画像を出力することが可能であり、その際の画像形成のカウントを適切に行うことができる。
（５）以上の（１）〜（４）において、画像に欠損を生じさせずに調整が可能であるかをページ単位で確認し、確認された結果に応じて調整の実行の有無を切り替えることにより、プリンタのページ切り替え時に画像間隔が存在する場合にも、ページ切り替え時に発生する画像間隔に合わせて原稿データをユーザが準備することなく、適切な状態で、長尺用紙に一定周期の画像を出力することが可能になる。
【００２６】
（６）以上の（１）〜（５）において、画像に欠損を生じさせずに調整が可能であるかをページ単位で確認し、画像形成部は、画像に欠損を生じさせずに調整が可能でないと確認されたページが存在する場合には、画像形成を実行しないことにより、プリンタのページ切り替え時に画像間隔が存在する場合にも、ページ切り替え時に発生する画像間隔に合わせて原稿データをユーザが準備することなく、適切な状態で、長尺用紙に一定周期の画像を出力することが可能になる。
【００２７】
（７）以上の（５）〜（６）において、画像形成の開始の指示に応じて確認と切り替えを行うことにより、プリンタのページ切り替え時に画像間隔が存在する場合にも、ページ切り替え時に発生する画像間隔に合わせて原稿データをユーザが準備することなく、画像形成の追加があった場合であっても、適切な状態で、長尺用紙に一定周期の画像を出力することが可能になる。
【００２８】
（８）以上の（１）〜（７）において、ページ単位の画像データがページメモリに入力された後に調整を行うことにより、プリンタのページ切り替え時に画像間隔が存在する場合にも、ページ切り替え時に発生する画像間隔に合わせて原稿データをユーザが準備することなく、適切な状態で、長尺用紙に一定周期の画像を出力することが可能になる。
【００２９】
（９）以上の（１）〜（７）において、ページ単位の画像データの主走査方向と副走査方向とのそれぞれに調整を行った後に、調整されたページ単位の画像データをページメモリに入力することにより、プリンタのページ切り替え時に画像間隔が存在する場合にも、ページ切り替え時に発生する画像間隔に合わせて原稿データをユーザが準備することなく、適切な状態で、長尺用紙に一定周期の画像を出力することが可能になる。また、主走査方向と副走査方向とのそれぞれで調整を行っているため、画像の９０度や２７０度の回転処理をする場合であっても、適切な状態で、長尺用紙に一定周期の画像を出力することが可能になる。
【００３０】
（１０）以上の（１）〜（９）において、先頭ページの先端と最終ページの後端の少なくとも一方については調整を行わないことにより、プリンタのページ切り替え時に画像間隔が存在する場合にも、ページ切り替え時に発生する画像間隔に合わせて原稿データをユーザが準備することなく、無駄のない効率的な状態で、長尺用紙に一定周期の画像を出力することが可能になる。
【図面の簡単な説明】
【００３１】
【図１】本発明の実施形態の画像形成システムの構成を示す構成図である。
【図２】本発明の実施形態の画像形成システムの構成を示す構成図である。
【図３】本発明の実施形態の画像形成システムの構成を示す構成図である。
【図４】本発明の実施形態の動作を示すフローチャートである。
【図５】本発明の実施形態の動作を示すフローチャートである。
【図６】本発明の実施形態の動作を示すフローチャートである。
【図７】本発明の実施形態の画像形成の様子を模式的に示す説明図である。
【図８】本発明の実施形態の画像形成の様子を模式的に示す説明図である。
【図９】本発明の実施形態の画像形成の様子を模式的に示す説明図である。
【図１０】本発明の実施形態の画像形成の様子を模式的に示す説明図である。
【発明を実施するための形態】
【００３２】
以下、図面を参照して、画像形成装置及び画像形成システム並びに画像形成制御プログラムにおいて、ロール状の長尺用紙を用いた画像形成を効率良く実行する実施形態を詳細に説明する。なお、画像形成装置１００や画像形成システムの動作が画像形成制御方法である。また、画像形成装置１００や画像形成システム１の動作を制御する制御部１０１の制御は、画像形成制御プログラムに基づいて行われる。
【００３３】
〔画像形成システムの構成〕
ここで、給紙装置５０と画像形成装置１００と排紙装置２００とがセットされた画像形成システム１の構成例を、図１と図２に基づいて詳細に説明する。
なお、給紙装置５０と画像形成装置１００と排紙装置２００とがセットされた画像形成システム１は、画像形成システムの一例を示しており、図示されない他の後処理装置などが接続されていても良い。
【００３４】
給紙装置５０は、制御部５１と、通信部５２と、給紙部５５と、給紙調整部５６と、搬送部５８と、センサ５９と、を備えて構成されている。制御部５１は、後述する制御部１０１の指示に基づいて、給紙装置５０内の各部を制御する。通信部５２は、セットされている画像形成装置１００等の他の装置と通信する。給紙部５５は、用紙ロールから長尺用紙を画像形成装置１００に向けて給紙する。給紙調整部５６は、給紙部５５から給紙される用紙の張り具合や弛み具合を調整しつつ、搬送速度の変動を吸収する。搬送部５８は、給紙装置５０内で用紙を搬送する。センサ５９は、用紙搬送に関して各種状態を検知する。
【００３５】
画像形成装置１００は、制御部１０１と、通信部１０２と、プリントコントローラ１０３と、記憶部１０４と、操作表示部１０５と、画像形成搬送部１０７と、センサ１０９と、原稿読取部１１０と、ＲＩＰ処理部１２０と、データ記憶部１３０と、画像処理部１４０と、画像形成部１５０と、定着部１６０と、を備えて構成されている。
【００３６】
制御部１０１は、画像形成装置１００内の各部を制御する。通信部１０２は、セットされている他の装置（外部機器や給紙装置５０や排紙装置２００等）と通信する。プリントコントローラ１０３は、外部機器からページ記述言語で記述されたジョブデータを受信して必要に応じて記憶する。記憶部１０４は、各種設定を記憶する。操作表示部１０５は、利用者による操作入力の受け付けと画像形成装置１００の状態表示とを行う。画像形成搬送部１０７は、装置内で用紙を搬送する。センサ１０９は、画像形成と用紙搬送に関して各種状態を検知する。原稿読取部１１０は、撮像素子により原稿の画像を読み取って原稿画像データを生成する。
【００３７】
ＲＩＰ処理部１２０は、プリントコントローラ１０３が受信したページ記述言語で記述されたＲＩＰ処理前のジョブデータに対してＲＩＰ処理を実行し、画像形成可能なビットマップ形式の画像データに変換する。データ記憶部１３０は、画像形成する際の画像データや各種データを記憶する。なお、データ記憶部１３０は、画像データを受け入れる読込用画像メモリと、受け入れた画像データを画像形成用に出力するプリント用画像メモリと、を備えて構成されている。画像処理部１４０は、画像形成に必要な各種画像処理を実行する。画像形成部１５０は、画像形成命令と、データ記憶部１３０内のプリント用画像メモリに格納された画像データとに基づいて用紙上に画像を形成する。定着部１６０は、用紙上に形成されたトナーによる画像を熱と圧力とで安定させる。
【００３８】
排紙装置２００は、制御部２０１と、通信部２０２と、切断部２０３と、排紙調整部２０５と、搬送部２０６と、排紙部２０８と、センサ２０９と、を備えて構成されている。制御部２０１は、制御部１０１の制御に基づいて、排紙装置２００内の各部を制御する。通信部２０２は、セットされている画像形成装置１００等の他の装置と通信する。切断部２０３は、所定位置で長尺用紙を切断する。排紙調整部２０５は、画像形成装置１００から排紙される用紙の張り具合を調整しつつ搬送速度の変動を吸収する。搬送部２０６は、排紙装置２００内で用紙を搬送する。排紙部２０８は、画像形成装置１００からの長尺用紙をロール形状に巻き取りつつ、用紙ロールとして排紙する。センサ２０９は、用紙搬送に関して各種状態を検知する。
【００３９】
以上の画像形成システム１、画像形成装置１００において、画像形成部１５０で用紙上において第１方向の画像形成を、第１方向と直交する第２方向（用紙搬送方向）に繰り返すことで、２次元の画像形成を実行している。従って、本実施形態では、この第１方向を主走査方向、第２方向を副走査方向と定義する。
【００４０】
また、以上の画像形成装置１００において、入力画像のサイズに下限がある製品が存在しており、印刷したい画像が最小サイズに満たない場合には、プリントコントローラ１０３において、画像（図７（ａ）参照）を１ページ内にリピートする原稿データ（図７（ｂ）参照）を作成する。
【００４１】
また、図１と図２では、給紙装置５０，画像形成装置１００，排紙装置２００による画像形成システムとして、長尺用紙を扱う場合を具体例として示している。ここで、長尺用紙とは、定型サイズの用紙よりも搬送方向の用紙長が長い用紙を意味している。また、図２において、画像形成部１５０として複数色で画像形成を行うものを示しているが、これに限定されず、モノクロの画像形成を行う画像形成部１５０であっても良い。なお、給紙や画像形成や排紙に関しては各種の構造が考えられるため、図１〜図２では一例を示しており、この具体例に示される構成や形態に限定されるものではない。
【００４２】
図３は本実施形態の特徴的動作を実行する部位の構成を示している。ここで、データ記憶部１３０は、ページ単位の画像データとしての原稿データを扱うページメモリ１３０ｐｍを備えて構成される。また、画像処理部１４０は、ページメモリ１３０ｐｍの入出力を制御し、各種画像処理を実行するメモリＡＳＩＣ１４０ｍａを備えて構成される。また、画像形成部１５０は、画像形成時の各種処理を実行するプリントＡＳＩＣ１５０ｐａ、画像形成時を実行するプリントエンジン１５０ｐｅ、を備えて構成される。
【００４３】
なお、以上の画像形成装置１００は、Ａ４サイズなどの定型サイズのカット紙を前提とする画像形成装置をベースにして開発された長尺用紙用画像形成装置であり、ページ単位の切り替わりにおいてページ間画像間隔と呼ばれる画像形成が一時的に停止する画像間隔が存在する。これは、カット紙を前提とするＡＳＩＣ等の画像処理ハードウェアが想定する転写紙長が、長尺用紙の長さに満たないことに起因する。ここで、ページ切り替えではＡＳＩＣに次ページ設定を行うソフト処理が必要であり、ソフト処理期間は画像形成が停止することになる。そして、この画像形成停止期間中も長尺用紙の搬送は続くため、停止期間が空白として出力物上に現れることになる。
【００４４】
〔実施形態の動作〕
以下、図４〜図６のフローチャート、図７以降の各種説明図を用いて、本実施形態の動作説明を行う。ここで、図４はメイン動作を示すフローチャート、図５と図６はメイン動作における一部の詳細動作のサブルーチンを示すフローチャートである。
【００４５】
図外の情報処理装置において、面付けソフトや画像エディタなどを用いて、画像形成装置１００における下限サイズ以上の画像サイズにするため、画像形成しようとする元の画像（図７（ａ））をリピートさせたページ単位の原稿データｐｇ（図７（ｂ））が所定ページ数分作成される（図４中のステップＳ１００）。
【００４６】
なお、元の画像において、副走査方向（長尺用紙を搬送しつつ画像を形成していく方向）先端と後端とにそれぞれαの余白が存在しているとする。また、原稿データにおいて、副走査方向先端と後端それぞれにαの余白が存在し、ページ内のリピートされる画像間には２α（＝α＋α）の余白が存在している。この原稿データについては、通常通りの単純なリピートであり、特別な調整（トリミング）は必要とされない。
【００４７】
そして、このような所定ページ数分の原稿データｐｇはページ記述言語で記述された状態で、外部の情報処理装置から画像形成装置１００のプリントコントローラ１０３に入力される（図４中のステップＳ１００）。
画像形成装置１００では、プリントコントローラ１０３に入力された所定ページ数分の原稿データについて、ＲＩＰ処理部１２０がＲＩＰ処理を実行し、画像形成可能なビットマップ形式の原稿データに変換する。
【００４８】
なお、プリントコントローラ１０３は、以上のＲＩＰ処理と並行して、所定ページ数分の原稿データの各ページについて、上下左右に余白が存在しているかを確認する（図４中のステップＳ１０１）。この余白確認（図４中のステップＳ１０１）については、図５と図６のフローチャートに示されるサブルーチン（余白確認（１）、余白確認（２））を参照する。
【００４９】
まず、プリントコントローラ１０３は、余白確認（１）を行う原稿データについて、着目ページをｍ，初期ページを１，最終頁をＭ，インクリメント単位を１と設定して（図５中のステップＳ２０１）、ｍページ目の画像の原稿データを入力する（図５中のステップＳ２０２）。なお、以下の説明では、各ページ毎に余白確認を行うため、各ページのＲＩＰ処理と並行して行うことが望ましい。
【００５０】
ここで、プリントコントローラ１０３は、ｍページ目の原稿データの上部に余白が存在しているかを確認する（図５中のステップＳ２０３）。余白が存在していれば（図５中のステップＳ２０３でＹＥＳ）、ｍページ目の原稿データに上部余白ありと原稿データの属性情報に記録する（図５中のステップＳ２０４）。また、プリントコントローラ１０３は、ｍページ目の原稿データの下部に余白が存在しているかを確認する（図５中のステップＳ２０５）。余白が存在していれば（図５中のステップＳ２０５でＹＥＳ）、ｍページ目の原稿データに下部余白ありと原稿データの属性情報に記録する（図５中のステップＳ２０６）。また、プリントコントローラ１０３は、ｍページ目の原稿データの左部に余白が存在しているかを確認する（図５中のステップＳ２０７）。余白が存在していれば（図５中のステップＳ２０７でＹＥＳ）、ｍページ目の原稿データに左部余白ありと原稿データの属性情報に記録する（図５中のステップＳ２０８）。また、プリントコントローラ１０３は、ｍページ目の原稿データの右部に余白が存在しているかを確認する（図５中のステップＳ２０９）。余白が存在していれば（図５中のステップＳ２０９でＹＥＳ）、ｍページ目の原稿データに右部余白ありと原稿データの属性情報に記録する（図５中のステップＳ２１０）。プリントコントローラ１０３は、以上のようにして原稿データについて最終Ｍページまで余白確認（１）を行って、原稿データの属性情報を記録する（図５中のステップＳ２１１）。
【００５１】
また、プリントコントローラ１０３は、以上の余白確認（１）がなされた原稿データの各ページについて、プリント時における画像の回転に応じて、調整すべき位置に余白が存在するか、余白確認（２）を実行する。
まず、プリントコントローラ１０３は、余白確認（２）を行う原稿データについて、着目ページをｍ，初期ページを１，最終頁をＭ，インクリメント単位を１と設定して（図６中のステップＳ３０１）、余白確認（１）で得られたｍページ目の原稿データの属性情報を参照する（図６中のステップＳ３０２）。
【００５２】
プリントコントローラ１０３は、ｍページ目の原稿データが調整対象であるかを確認する（図６中のステップＳ３０３）。後述するように調整対象とならない原稿データも存在するが、そのような調整対象とならないｍページ目の原稿データについては（図６中のステップＳ３０３でＮＯ）、何もせずに処理を終了する（図６中のリターン）。
【００５３】
プリントコントローラ１０３は、原稿データが調整対象であれば（図６中のステップＳ３０３でＹＥＳ）、プリント時に画像回転を行う回転角の指定を確認する（図６中のステップＳ３０４）。
回転角が０度（回転なし）か１８０度（上下回転）であれば（図６中のステップＳ３０４で０度／１８０度）、原稿データの主走査方向と副走査方向とが画像形成時に入れ替わることはないため、上下に余白が存在すれば（図６中のステップＳ３０５でＹＥＳ）、ｍページ目の処理を終了し、上下に余白が存在しなければ（図６中のステップＳ３０５でＮＯ）、プリントコントローラ１０３はｍページ目の原稿データについて調整処理除外又は警告報知の設定を属性情報に付加する（図６中のステップＳ３０７）。
【００５４】
回転角が９０度か２７０度（横回転）であれば（図６中のステップＳ３０４で９０度／２７０度）、原稿データの主走査方向と副走査方向とが画像形成時に入れ替わるため、左右に余白が存在すれば（図６中のステップＳ３０６でＹＥＳ）、ｍページ目の処理を終了し、左右に余白が存在しなければ（図６中のステップＳ３０６でＮＯ）、プリントコントローラ１０３はｍページ目の原稿データについて調整処理除外又は警告報知の設定を属性情報に付加する（図６中のステップＳ３０７）。
【００５５】
プリントコントローラ１０３は、以上のようにして原稿データについて最終Ｍページまで余白確認（２）を行って、メインフローチャートでの余白確認（図４中のステップＳ１０１）を完了する。なお、余白確認（１）と余白確認（２）とは独立して行うのではなく、同一のｍページについて並行して行うようにしても良い。
【００５６】
以上のようにして、ビットマップ形式に変換され、余白確認（１）及び余白確認（２）がなされた所定ページ数分の原稿データは、属性情報と共に、データ記憶部１３０内のページメモリ１３０ｐｍに格納される。
以下、画像処理部１４０は、データ記憶部１３０に格納された所定ページ数分の原稿データについて、以下のように余白調整を行って画像形成を実行する。
【００５７】
まず、画像処理部１４０は、余白調整と画像形成を行う原稿データについて、着目ページをｍ，初期ページを１，最終頁をＭ，インクリメント単位を１と設定して（図４中のステップＳ１０２）、ｍページ目の原稿データが調整対象であるかを確認する（図４中のステップＳ１０３）。
【００５８】
後述するように調整対象とならない原稿データも存在するが、そのような調整対象とならないｍページ目の原稿データについては（図４中のステップＳ１０３でＮＯ）、画像処理部１４０は余白調整を実行せずに原稿データをデータ記憶部１３０から読み出して画像形成部１５０に供給する（図４中のステップＳ１０５）。
【００５９】
また、画像処理部１４０は、余白調整しない原稿データの画像サイズを作像距離として制御部１０１に通知する。作像距離の通知を受けた制御部１０１は、各ページの原稿データの作像距離を積算し、部品交換や課金のための用紙使用量を算出する（図４中のステップＳ１０６）。
【００６０】
画像形成部１５０は、余白調整されずに画像処理部１４０から送られた原稿データに基づいて、ｍページ目の画像を長尺用紙上に形成する（図４中のステップＳ１１０）。
調整対象となっているｍページ目の原稿データについて（図４中のステップＳ１０３でＹＥＳ）、回転角が０度（回転なし）か１８０度（上下回転）であれば（図４中のステップＳ１０３で０度／１８０度）、原稿データのページ内画像間隔と、ページ単位の切り替わりにおける先行ページの後尾画像と後続ページの先頭画像との間のページ準備処理で発生するページ間画像間隔とが等しくなるように、後尾画像後の余白又は先頭画像前の余白の少なくとも一方を調整する（図４中のステップＳ１０７）。
【００６１】
調整対象となっているｍページ目の原稿データについて（図４中のステップＳ１０３でＹＥＳ）、回転角が９０度か２７０度（横回転）であれば（図４中のステップＳ１０３で９０度／２７０度）、原稿データのページ内画像間隔と、ページ単位の切り替わりにおける先行ページの後尾画像と後続ページの先頭画像との間のページ準備処理で発生するページ間画像間隔とが等しくなるように、側端の余白の少なくとも一方を調整する（図４中のステップＳ１０８）。
【００６２】
なお、余白調整（図４中のステップＳ１０７、Ｓ１０８）については、フローチャートの動作説明の後に、図示しつつ詳細に説明を行う。
また、画像処理部１４０は、余白調整した調整後の原稿データの画像サイズを作像距離として制御部１０１に通知する。作像距離の通知を受けた制御部１０１は、各ページの原稿データの作像距離を積算し、部品交換や課金のための用紙使用量を算出する（図４中のステップＳ１０９）。
【００６３】
そして、画像処理部１４０は、以上のように余白調整をしたｍページ目の原稿データについて（図４中のステップＳ１０７、Ｓ１０８）、画像形成部１５０に供給する。画像形成部１５０は、余白調整された状態で画像処理部１４０から送られた原稿データに基づいて、ｍページ目の画像を長尺用紙上に形成する（図４中のステップＳ１１０）。
【００６４】
以上のように、画像処理部１４０は、データ記憶部１３０に格納された所定ページ数分の原稿データについて、１ページ目から最終のＭページ目に至るまで、調整対象有無や回転角に応じて必要な余白調整を実行する。そして、画像形成部１５０は、画像処理部１４０から送られた所定ページ数分の１ページ目から最終のＭページ目に至る原稿データに基づいて長尺用紙上に画像を形成する。
【００６５】
〔余白調整の詳細（１）〕
以下、図７を参照して、余白及び余白調整について説明する。なお、ここでは画像の回転は０度又は１８０度であると仮定して説明を行う。
図７（ａ）は元になる画像データであり、副走査方向の先端（上）と後端（下）とにそれぞれαの余白が存在している。
【００６６】
図７（ｂ）は面付けソフトや画像エディタなどを用いて画像（図７（ａ））を１ページ内にリピートさせた原稿データであり、副走査方向先端と後端それぞれにαの余白が存在し、ページ内のリピートされる画像間には２α（＝α＋α）の余白（ページ内画像間隔）が存在している。
【００６７】
図７（ｃ）はページ処理による停止期間が生じない理想的な状態で長尺用紙ＰＬに印刷された様子を示し、ページ内画像間隔とページ間画像間隔とは共に２αになっている。このため、印刷された長尺用紙について、ダイカッターなどの後処理機を用いて一定周期で断裁することができる。
【００６８】
図７（ｄ）はページ処理による停止期間βが生じる画像形成装置１００により、本実施形態を適用しない従来の状態で長尺用紙ＰＬに印刷された様子を示し、ページ内画像間隔は２α、ページ間画像間隔は２α＋βになっている。このため、印刷された長尺用紙について、ダイカッターなどの後処理機を用いて一定周期で断裁することがでない。
【００６９】
図８（ａ）は図７（ｄ）と同じ従来の状態で長尺用紙ＰＬに印刷された様子を示している。一方、図８（ｂ）では、本実施形態を適用して長尺用紙ＰＬに印刷された様子を示している。ここで、ページ単位の切り替わりにおける先行ページの後尾画像と後続ページの先頭画像との間のページ準備処理で発生するページ間画像間隔が、原稿データのページ内画像間隔２αと等しくなるようにするため、あるページの後尾画像後の余白αから停止期間βの半分のβ／２を減じると共に、次のページの先頭画像前の余白αから停止期間βの半分のβ／２を減じている。この結果、ページ間画像間隔は２（α−β／２）＋β、すなわち２αになり、原稿データのページ内画像間隔２αと等しくなっている。すなわち、ページ内画像間隔とページ間画像間隔とは共に２αになっており、印刷された長尺用紙ＰＬについて、ダイカッターなどの後処理機を用いて一定周期で断裁することが可能になる。
【００７０】
これにより、原稿データをユーザが手動で加工するケースと同様の印刷物を自動的に得ることができる。すなわち、ユーザはページ間画像間隔の有無（ページ内画像間隔とページ間画像間隔との違い）を気にせずに原稿データを作成できるため、画像形成装置で長尺用紙を使用する際の利便性が向上する。
【００７１】
また、画像回転が９０度又は２７０度の場合は、元画像の左右の側が原稿データにおいて副走査方向に位置するため、以上の説明と同様に、原稿データにおいて副走査方向に位置する元画像の左右の側の余白を調整すれば良い。なお、図７（ａ）では、原稿データの先端と後端の余白量は共にαとした具体例を示しているが、先端と後端の余白量は異なっていてもよい。 
【００７２】
〔余白調整の詳細（２）〕
図９は、調整すべき余白が存在しない画像の場合の状態を示している。ここで、ページ単位の原稿データ（図９（ａ））において、リピートされた各画像間に余白が存在しておらず、ページ内画像間隔がゼロである。
【００７３】
そして、図９（ｂ）は、長尺用紙ＰＬに印刷された状態で、上述したページ単位の切り替えにおける停止期間βによる画像間隔が存在する。ここで、画像周囲に余白が存在しないため、停止期間βを削減するためには、画像そのものに欠損を生じさせる必要がある。従って、この場合には、プリントコントローラ１０３が属性情報に付加した調整処理除外又は警告報知の設定に応じて、画像処理部１４０は調整処理を実行せず、制御部１０１は画像形成を停止させるか、あるいは、操作表示部１０５において警告を報知する。
【００７４】
この場合、操作表示部１０５における警告報知を受けたユーザは、該当するジョブのプリントを停止させるか、あるいは、一定周期的の断裁をあきらめて調整無しのプリントを実行するか、または、一定周期の断裁を重視して画像に欠損を生じさせる調整を実行するか、いずれかを選択することが可能である。
【００７５】
〔余白調整の詳細（３）〕
図１０は、調整すべきでない画像の様子を示している。ここで、元の画像データと原稿データとが共に図１０（ａ）のように１つの画像であるとする。この場合、図１０（ｂ）のように、長尺用紙ＰＬに印刷された状態において、ページ内画像間隔は存在せず、停止期間βによるページ間画像間隔のみが存在している。このため、停止期間βが存在していたとしても、印刷された長尺用紙ＰＬについて、ダイカッターなどの後処理機を用いて一定周期で断裁することができる。従って、この場合には、余白を調整する必要がない。
【００７６】
〔その他の実施形態（１）〕
なお、図８（ｂ）では、各ページにおいて、後尾画像後の余白αから停止期間βの半分のβ／２を減じると共に、先頭画像前の余白αから停止期間βの半分のβ／２を減じている。この代わりに、各ページにおいて、後尾画像後の余白α又は先頭画像前の余白αのいずれか一方から、停止期間βを減じるようにしても良い。
【００７７】
また、後尾画像後の余白に対する調整量と先頭画像前の余白に対する調整量とを異なる量にして、これらの合計により停止期間βを減じるようにしても良い。
すなわち、ページ内画像間隔とページ間画像間隔とが等しくなるように、後尾画像後の余白又は先頭画像前の余白の少なくとも一方を調整することが重要である。
【００７８】
〔その他の実施形態（２）〕
なお、以上の調整としては、停止期間に応じて余白を減じるトリミングであったが、トリミングに限定されるものではなく、トリミングとは逆に余白を付加する手法を用いることも可能である。図７（ｂ）では、画像データの先端と後端に余白が付加されているとしたが、余白が付加されていない場合は、あるページの後尾画像後と次のページの先頭画像前に、合計２α−βの余白を付加することでページ内画像間隔とページ間画像間隔とを等しくすることも可能である。また、トリミングと余白の付加を組み合わせて、あるページの後尾画像後はトリミングし次のページの先頭画像前は余白を付加する、とすることでページ内画像間隔とページ間画像間隔を等しくすることも可能である。
【００７９】
また、別の手法としては、ページ内画像間隔とページ間画像間隔とが等しくなるように、各画像の配置を移動させる手法を用いることも可能である。
〔その他の実施形態（３）〕
なお、以上の余白調整や回転は、データ記憶部１３０に格納された原稿データを画像処理部１４０が読み出す際に、画像処理部１４０内で行うとして説明した。この場合、画像処理部１４０内のメモリＡＳＩＣ１４０ｍａが余白調整や回転を行う。
【００８０】
そして、余白調整や回転については、これに限定されるものではない。例えば、画像形成部１５０内のプリントＡＳＩＣ１５０ｐａが余白調整や回転を実行するようにしても良い。
〔その他の実施形態（４）〕
なお、以上の余白調整や回転は、データ記憶部１３０に格納された原稿データを画像処理部１４０が読み出す際に、画像処理部１４０内のメモリＡＳＩＣ１４０ｍａが余白調整を行うとしたが、これに限定されるものではない。
【００８１】
例えば、原稿データをデータ記憶部１３０に格納する以前に同様の処理（余白調整）を画像処理部１４０又はプリントコントローラ１０３により予め行うことも可能である。この場合、データ記憶部１３０から原稿データを読み出す際に余白調整が不要になる。但し、事前に余白調整を実行し、後に回転処理が入ることを想定した場合、９０度や２７０度の回転処理が実行されると、原稿データの主走査方向と副走査方向とが入れ替わることになる。従って、事前の余白調整の場合には、原稿データの主走査方向及び副走査方向の両方に余白調整を施す必要がある。
【００８２】
〔その他の実施形態（５）〕
画像形成装置１００では、感光体などの部品ごとに作像距離の使用上限が設定されており、上限を超えた部品を交換する必要がある。カット紙を前提とする画像形成装置では、作像距離は転写紙副走査サイズと枚数で計算される。一方、長尺用紙に対して作像する場合は、原稿データ副走査方向サイズとページ数とで決定されることが一般的である。
【００８３】
以上の実施形態では、原稿データの先端又は後端をトリミングすることにより調整してプリントしているため、実際の作像距離は原稿画像副走査方向サイズ×ページ数よりも、画像間隔分だけ小さくなっている。
よって、以上の作像距離の積算（図４中のステップＳ１０６、Ｓ１０９）では、実際の作像距離が短くなる分だけ部品の駆動距離を短くカウントを行うことで、部品の寿命を正確に管理することができる。また、部品寿命以外にも、作像距離を用いて算出される数値は画像間隔分だけ少なくカウントする。例えば、課金カウントもこれに含まれる。これにより、作像距離に関連するカウントを適切に行うことができる。
【００８４】
〔その他の実施形態（６）〕
以上の各実施形態では、ページ内画像間隔とページ間画像間隔とを等しく調整することを特徴としている。このため、先頭ページの先端余白と最終ページの後端余白とについては調整を行う必要がない。従って、先頭ページの先端余白と最終ページの後端余白との少なくとも一方については調整を行わないようにする。更に望ましくは、先頭ページの先端余白と最終ページの後端余白との両方について調整を行わないようにする。これにより、無駄のない効率的な状態の動作が可能になる。
【符号の説明】
【００８５】
５０  給紙装置
１００  画像形成装置
１０１  制御部
１０２  通信部
１０３  プリントコントローラ
１０４  記憶部
１０５  操作表示部
１０７  搬送部
１０９  センサ
１１０  原稿読取部
１２０  ＲＩＰ処理部
１３０  データ記憶部
１４０  画像処理部
１５０  画像形成部
１６０  定着部
２００  排紙装置
【図１】
2018015911.tif 000003
【図２】
2018015911.tif 000004
【図３】
2018015911.tif 000005
【図４】
2018015911.tif 000006
【図５】
2018015911.tif 000007
【図６】
2018015911.tif 000008
【図７】
2018015911.tif 000009
【図８】
2018015911.tif 000010
【図９】
2018015911.tif 000011
【図１０】
2018015911.tif 000012